(57)【要約】      （修正有）【課題】吸収部材より芳香液が吸い上げられ、香りが発散する揮散体と容器内部に工夫を凝らすことでインテリア性に優れ、更に揮散体の色と液体の色の組み合わせによって外観の変化を楽しむことができる芳香容器を提供する。【解決手段】芳香液を収容する容器内と、芳香液に浸漬される吸液部材と、吸液部材を介して芳香液が供給され、芳香液を揮散させる揮散体とを備える。揮散体の形状は、動物や植物等の形状にする。また、揮散体と、無着色又は１色以上に着色しておき、芳香液は、無色又は有色にし、少なくとも二層に分離する芳香液にする。【選択図】図１
0003162803.tif 000002
【実用新案登録請求の範囲】
【請求項１】
芳香液を収容する容器と、前記芳香液に浸漬される吸液部材と、前記吸液部材を介して前記芳香液が供給され、前記芳香液を揮散させる揮散体とを備える芳香液入り芳香器において、前記芳香液を揮散させる揮散体は、動物、植物、宝石、キャラクター、乗り物、建物、スカル、食べ物より選択される１種の形状であることを特徴とする芳香液入り芳香器。
【請求項２】
前記芳香液を収容する容器内には、少なくとも天然石、人工石、ドライフラワー、スターフラワーより選択される１種が含まれていることを特徴とする請求項１に記載の芳香液入り芳香器。
【請求項３】
前記芳香液に浸漬される吸液部材は、紐、籤、セラミック、金属、ガラス、樹脂より選択される１種であることを特徴とする請求項１〜請求項２のいずれか１項に記載の芳香液入り芳香器。
【請求項４】
前記芳香液を揮散させる揮散体は、セラミック製、石膏製、粘土製、木製、紙製より選択される１種であることを特徴とする請求項１〜請求項３のいずれか１項に記載の芳香液入り芳香器。
【請求項５】
前記芳香液を揮散させる揮散体は、無着色又は１色以上に着色されていることを特徴とする請求項１〜請求項４のいずれか１項に記載の芳香液入り芳香器。
【請求項６】
前記芳香液は、無色又は有色であることを特徴とする請求項１〜請求項５のいずれか１項に記載の芳香液入り芳香器。
【請求項７】
前記芳香液は、少なくとも二層に分離していることを特徴とする請求項１〜請求項６のいずれか１項に記載の芳香液入り芳香器。
【考案の詳細な説明】
【技術分野】
【０００１】
本考案は、芳香液入り芳香器に関するものである。
【背景技術】
【０００２】
近年、様々なタイプの芳香器が出回っている中、吸液部材を通じて芳香液を吸い上げ、香りを発散するタイプのものは、吸収部材としての籤や紙スティックが芳香液の入った容器に無造作に突っ込まれているだけか、吸液部材の先がプラスティック製カバーで覆われている程度で、置く場所によっては全体の印象が不釣合いになるものが多く、インテリア性においても検討の余地が残されていた。
また、石や色のもつパワーを取り入れた芳香液入り芳香器は存在しなかった。
【特許文献１】実願２００５−７１１５
【考案の開示】
【考案が解決しようとする課題】
【０００３】
本考案は、上記問題を解決するため成されたもので、吸液部材より芳香液が吸い上げられ、香りを発散する揮散体と容器内部に工夫を凝らすことでインテリア性に優れ、更に揮散体の色と液体の色の組み合わせによって外観の変化を楽しむことができる芳香容器を提供する。
【課題を解決するための手段】
【０００４】
請求項１に記載の考案は、芳香液を収容する容器と、前記芳香液に浸漬される吸液部材と、前記吸液部材を介して前記芳香液が供給され、前記芳香液を揮散させる揮散体とを備える芳香液入り芳香器において、前記芳香液を揮散させる揮散体は、動物、植物、宝石、キャラクター、乗り物、建物、スカル、食べ物より選択される１種の形状であることを特徴とする。
【０００５】
請求項２に記載の考案は、前記芳香液を収容する容器内には、少なくとも天然石、人工石、ドライフラワー、スターフラワーより選択される１種が含まれていることを特徴とする。
【０００６】
請求項３に記載の考案は、前記芳香液に浸漬される吸液部材は、紐、籤、セラミック、金属、ガラス、樹脂より選択される１種であることを特徴とする。
【０００７】
請求項４に記載の考案は、前記芳香液を揮散させる揮散体は、セラミック製、石膏製、粘土製、木製、紙製より選択される１種であることを特徴とする。
【０００８】
請求項５に記載の考案は、前記芳香液を揮散させる揮散体は、無着色又は１色以上に着色されていることを特徴とする。
【０００９】
請求項６に記載の考案は、前記芳香液は、無色又は有色であることを特徴とする。
【００１０】
請求項７に記載の考案は、前記芳香液は、少なくとも二層に分離していることを特徴とする。
【考案の効果】
【００１１】
請求項１に記載の考案によれば、拡散体の形状を動物、植物、宝石、キャラクター、乗り物、建物、スカル、食べ物にすることによって、どんな場所においてもしっくり来るインテリア性に優れた芳香液入り芳香器を提供出来る。
【００１２】
請求項２に記載の考案によれば、容器内にも天然石、人工石、ドライフラワー、スターフラワーより選択される１種を入れることで、インテリア性が更に増し、特に石の場合、その石の持つパワーが、花の場合、その花の持つ意味合いが溶けた芳香液を揮散出来る。
【００１３】
請求項３に記載の考案によれば、吸液部材が、紐、籤、セラミック、金属、ガラス、樹脂のいずれかであれば、芳香液が、香りが発散する揮散体へうまく移動する。
【００１４】
請求項４に記載の考案によれば、揮散体が、セラミック製、石膏製、粘土製、木製、紙製のいずれかであれば、香りが揮散しやすく、加えて揮散体自体の着色が容易で、また、芳香液の色が揮散体に付きやすくなる。
【００１５】
請求項５に記載の考案によれば、揮散体が無着色であれば、該揮散体が芳香液の色に染まり、揮散体自体が既に着色されていれば、芳香液の色との関係では、該揮散体が別の色に変化する様を楽しむことが出来る。
【００１６】
請求項６に記載の考案によれば、芳香液が無色であれば、揮散体が持っている色合いをそのまま楽しめ、芳香液が有色であれば、該芳香液の色を揮散体に反映させ、該揮散体の色を変化させて使用出来る。
【００１７】
請求項７に記載の考案によれば、各層毎に異なる香りや異なる色を付ける事ができる。
【考案を実施するための最良の形態】
【００１８】
芳香液入り芳香器において、芳香液を収容する容器内に、少なくとも天然石、人工石、ドライフラワー、スターフラワーより選択される１種を含み、前記芳香液に浸漬される吸液部材に、紐、籤、セラミックのいずれかを用い、前記吸液部材を介して前記芳香液が供給され、前記芳香液を揮散させる揮散体に、セラミック製、石膏製、粘土製、木製、紙製のいずれかを用い、且つ、揮散体の形状は、動物、植物、宝石、キャラクター、乗り物、建物、スカルより選択される１種の形状にする。
また、前記芳香液を揮散させる揮散体は、無着色又は１色以上に着色しておき、前記芳香液は、無色又は有色にする。場合によっては、少なくとも二層に分離する芳香液にする。
【実施例１】
【００１９】
以下、図面を参照して本考案に係る芳香液入り芳香器の実施例を説明する。
図１は、本考案の芳香液入り芳香器の斜視図であり、図２、図３、図４は、本考案の芳香液入り芳香器のバリエーションの一例である。
【００２０】
まず、芳香液入り芳香器において、芳香液を揮散させる揮散体２の形状を動物である「蝶」の形状に決め、前記形状を「セラミック製」素材で成形し、芳香液に浸漬される吸液部材に「籤」６を用いて前記揮散体に接続する。
【００２１】
次に、芳香液を収容する容器３に透明の角ビンを用い、前記容器内に「天然石」８である「タイガーアイ」を数個入れ、赤色で透明の芳香液を入れて、使用前は栓をして置き、使用時は、前記栓をとって、籤６が接続された揮散体２を取り付け、図２のように芳香液入り芳香器１を完成させる。
【００２２】
このとき、「天然石」や「人工石」には、一般にパワーストーンと呼ばれ、古来より、願いをかなえる不思議なパワーがあるとされている石を用いることが望ましい。
【００２３】
このパワーストーンには、例えばアイオライト、アクアオーラ、アクアマリン、アズライト、アパッチティアーズ、アプリコットアゲート、アベンチュリン、アマゾナイト、アメジスト、アラゴナイト、イエロークウォーツ、イエロージェイド、インカローズ、エメラルド、オパール、オニキス、オブシディアン、ガーネット、オレンジアラゴナイト、カーネリアン、カルサイト、クリアオレンジカルサイト、グリーンアベンチュリン、グリーントルマリン、グリーンフローライト、クリソコラ、コッパーナゲット、ゴールドストーン、サファイア、サンストーン、シトリン、シエル、スギライト、スノーフレーク、クリソプレーズ、シトリン、水晶、スターローズクオーツ、スノーフレイクオプシディアン、スモーキークオーツ、セレナイト、ソーダライト、ダークアメジスト、タイガーアイ、ダイアモンド、チャルコパイライト、ターコイズ、ダルメシアン、タンザナイト、ニュージェイド、テクタイト、トパーズ、トルマリン、ピンクトルマリン、ブラックトルマリン、ブルーレース、フローライト、ホークアイ、ヘマタイト、パール、パイライト、ハウライト、ハウライトターコイズ、バンデッドカーネリアン、ピーターサイト、ピーチクウォーツ、ブラックオニキス、ブラッドストーン、ブルーコーラル、ブルーレースカルセドニー、プレナイト、ペリドット、マラカイト、ムーンストーン、めのう、ユカナイト、ラピスラズリ、ラブラドライト、ルチルクウォーツ、ルビー、レッドジャスパー、レッドタイガーアイ、ローズクウォーツ、ロードナイト、その他模造石等が該当する。
【００２４】
そして、これらの石を、タンブル形状、サザレ形状、玉形状、球形状、チップ形状、勾玉形状、雫形状、カッティングされた部分を持つ形状に加工して入れても構わない。
【００２５】
また、揮散体２の色付け方法は、着色する前の素材の色である、無着色の表面に着色しても構わないし、着色料を先に練りこんだり、染色して着色しても構わない。
【００２６】
よって、揮散体２の部分が、無着色であれば、該揮散体が芳香液の色に染まり、揮散体自体が既に着色されていれば、芳香液の色との関係では、該揮散体が別の色に変化する様を楽しむことが出来る。
【００２７】
このとき、無着色の素材の色は、できれば白色に近い素材が望ましい。
【００２８】
更に、本考案において、芳香液が有色とは、有色で透明と有色で不透明を指す。
【００２９】
よって、本実施例の場合、赤色で透明の芳香液を入れたことにより、揮散体２の部分が無着色であれば、液体が染み込むと、該揮散体が赤色に染まり、先に着色料を練りこんでおり、揮散体の部分が黄色であれば、該揮散体がオレンジ色に変化する。
【００３０】
なお、本考案では、揮散体内に吸液部材を差し込んで接続させているが、この吸液部材に揮散体を接続する方法は、特に限定せず、例えば、吸液部材に揮散体を別途紐や金具を使って、取り外し可能で、自由に揮散体の位置を変えることができるものであっても良い。
【００３１】
また、芳香液中に、消臭効果のある成分を含有しても構わない。
【実施例２】
【００３２】
次に、芳香液入り芳香器において、芳香液を揮散させる揮散体２の形状を宝石である「ダイヤモンド」の形状に決め、前記形状を「石膏製」素材で成形し、芳香液に浸漬される吸液部材に「紐」４を用いて前記揮散体２に接続する。
【００３３】
そして、芳香液を収容する容器３に透明の細口円柱ビンを用い、前記容器内に「花」である「スターフラワー」７を数個入れ、無色の芳香液を入れて、使用前は栓をして置き、使用時は、前記栓をとって、紐４が接続された揮散体２を取り付け、図３のように芳香液入り芳香器を完成させる。
【００３４】
このとき、実施例の「スターフラワー」や「ドライフラワー」には、花言葉があり、その意味において、「愛」や「好意」等好感が持てるような花を使用することが望ましい。
【００３５】
なお、本実施例のように無色の芳香液に対し、無着色の揮散体を用いても、一色以上に着色されたものを用いても、かえって容器内に入れた花の持つ花言葉の意味を高め、その願いが液体に溶け込んで部屋中に広がる効果が期待できる。
【実施例３】
【００３６】
最後に、芳香液入り芳香器において、芳香液を揮散させる揮散体２の形状を植物である「花」の形状に決め、前記形状を「セラミック製」素材で成形し、芳香液に浸漬される吸液部材に「セラミック」５を用いて前記揮散体に接続する。
【００３７】
次に、芳香液を収容する容器３に透明の略球体ビンを用い、前記容器内に「天然石」８である「水晶」を数個入れ、一層目である下層が無色、二層目である上層が赤色で透明の芳香液を入れて、使用前は栓をして置き、使用時は、前記栓をとって、セラミック５が接続された揮散体２を取り付け、図４のように芳香液入り芳香器を完成させる。
【００３８】
このとき、揮散体と吸液部材が同素材であれば、最初から一体成形されたものでも構わない。
【００３９】
本実施例の場合、一層目と二層目の香料を変える事で、ブレンドされた香りを楽しむことができ、一層目と二層目の色を変える事で、片層が無色でない限り混合色を揮散体に着色することができる。
【００４０】
ただし、複数層の香りや着色を順番に楽しむ場合、吸収しない素材を吸液部材に巻きつけるか、コーティングするか、或は、筒状のものに吸液部材を通して、吸液部材の下部付近からのみ吸収する構造で使用する必要がある。
【００４１】
このように、好ましい実施例を挙げて本考案を説明したが、本考案はその実施例に限定されるものではなく、本考案の要旨の範囲内で種々に改変できる。
【図面の簡単な説明】
【００４２】
【図１】本考案の芳香液入り芳香器の斜視図である。
【図２】本考案の芳香液入り芳香器のバリエーションの一例である。
【図３】本考案の芳香液入り芳香器のバリエーションの一例である。
【図４】本考案の芳香液入り芳香器のバリエーションの一例である。
【符号の説明】
【００４３】
１  芳香液入り芳香器
２  揮散体
３  容器
４  吸収部材（紐）
５  吸収部材（セラミック）
６  吸収部材（籤）
７  スターフラワー
８  天然石
９  人工石
１０  二層目
１１  一層目
【図１】
0003162803.tif 000003
【図２】
0003162803.tif 000004
【図３】
0003162803.tif 000005
【図４】
0003162803.tif 000006